(57)【要約】【課題】簡単な構成で、審美性の高い笠木を提供すること。【解決手段】笠木１Ａは、躯体に設置される。この笠木１Ａは、水平方向に沿って配置される第１水平部２１と、第１水平部２１から鉛直方向下方に沿って配置される第１右側垂直部（第１垂直部）２２と、を有する第１部材２Ａと、水平方向に沿って配置される第２水平部３１と、第２水平部３１から鉛直方向上方に沿って配置される第２垂直部３２と、第２水平部３１の第２垂直部３２と反対側から鉛直方向下方に沿って配置される第３垂直部３３と、を有する第２部材３Ａと、を備え、第１部材２Ａと第２部材３Ａとは、第１右側垂直部２２と第２垂直部３２とを接合して組み立てられる。【選択図】図３
2020084510.tif 000002
【特許請求の範囲】
【請求項１】
躯体に設置される笠木であって、
水平方向に沿って配置される第１水平部と、該第１水平部から鉛直方向下方に沿って配置される第１垂直部と、を有する第１部材と、
水平方向に沿って配置される第２水平部と、前記第２水平部から鉛直方向上方に沿って配置される第２垂直部と、前記第２水平部の前記第２垂直部と反対側から鉛直方向下方に沿って配置される第３垂直部と、を有する第２部材と、を備え、
前記第１部材と前記第２部材とは、前記第１垂直部と前記第２垂直部とを接合して組み立てられることを特徴とする笠木。
【請求項２】
前記第１部材と前記第２部材とは、それぞれ、板部材で構成されており、
前記第１垂直部と前記第２垂直部とは、前記板部材の厚さ方向に重ねられた状態で接合される請求項１に記載の笠木。
【請求項３】
前記第１垂直部と前記第２垂直部とのうち、前記第１垂直部が外側に位置し、前記第２垂直部が内側に位置する請求項２に記載の笠木。
【請求項４】
前記第２部材は、前記第３垂直部の下部から鉛直斜め上方に向かって突出した突出部を有する請求項１ないし３のいずれか１項に記載の笠木。
【請求項５】
前記躯体は、出隅を備えており、
当該笠木は、前記出隅に設置して用いられる請求項１ないし４のいずれか１項に記載の笠木。
【請求項６】
前記躯体は、入隅を備えており、
当該笠木は、前記入隅に設置して用いられる請求項１ないし４のいずれか１項に記載の笠木。
【請求項７】
前記躯体は、出隅と、入隅と、前記出隅と前記入隅との間の直線状をなす直線部と、を備えており、
当該笠木は、前記直線部に設置して用いられる請求項１ないし４のいずれか１項に記載の笠木。
【請求項８】
前記第１部材および前記第２部材のうちの少なくとも一方は、その一部もしくは全面を覆う防水シートを有する請求項１ないし７のいずれか１項に記載の笠木。
【請求項９】
躯体の出隅または入隅に設置される笠木であって、
水平方向に沿って配置される１枚の連続した板部材で構成され、水平方向のうちの交差する２方向に延在する第１延在部および第２延在部を有する水平部Ａと、
前記第１延在部と平行に配置され、該第１延在部と同方向に延在する水平部Ｂと、
前記第１延在部と前記水平部Ｂとを連結し、鉛直方向に沿って配置される垂直部Ｃと、
前記水平部Ｂの前記垂直部Ｃと反対側から鉛直方に沿って配置される垂直部Ｄと、
前記第２延在部と平行に配置され、該第２延在部と同方向に延在する水平部Ｅと、
前記第２延在部と前記水平部Ｅとを連結し、鉛直方向に沿って配置される垂直部Ｆと、
前記水平部Ｅの前記垂直部Ｆと反対側から鉛直方向下方に沿って配置される垂直部Ｇと、を備えることを特徴とする笠木。
【請求項１０】
前記水平部Ａ、前記水平部Ｂ、前記垂直部Ｃ、前記垂直部Ｄ、前記水平部Ｅ、前記垂直部Ｆ、前記垂直部Ｇのうちの少なくとも１つは、その一部もしくは全面を覆う防水シートを有する請求項９に記載の笠木。
【発明の詳細な説明】
【技術分野】
【０００１】
本発明は、笠木に関する。
【背景技術】
【０００２】
躯体には、例えば屋根や屋上等に笠木が設置されることがある。笠木としては、１枚の板部材を、当該笠木が設置される部分の外形形状に沿って折り曲げてなる笠木が知られている（例えば、特許文献１参照）。
【０００３】
しかしながら、特許文献１に記載の笠木は、１枚の板部材を単に前記のように折り曲げて形成されたものであるため、簡単な構成となっているが、実際に躯体に設置してみると、審美性が乏しい感じがあった。
【先行技術文献】
【特許文献】
【０００４】
【特許文献１】特開２００２−２２７３６４号公報
【発明の概要】
【発明が解決しようとする課題】
【０００５】
本発明の目的は、簡単な構成で、審美性の高い笠木を提供することにある。
【課題を解決するための手段】
【０００６】
このような目的は、下記（１）〜（１０）の本発明により達成される。
（１）  躯体に設置される笠木であって、
水平方向に沿って配置される第１水平部と、該第１水平部から鉛直方向下方に沿って配置される第１垂直部と、を有する第１部材と、
水平方向に沿って配置される第２水平部と、前記第２水平部から鉛直方向上方に沿って配置される第２垂直部と、前記第２水平部の前記第２垂直部と反対側から鉛直方向下方に沿って配置される第３垂直部と、を有する第２部材と、を備え、
前記第１部材と前記第２部材とは、前記第１垂直部と前記第２垂直部とを接合して組み立てられることを特徴とする笠木。
【０００７】
（２）  前記第１部材と前記第２部材とは、それぞれ、板部材で構成されており、
前記第１垂直部と前記第２垂直部とは、前記板部材の厚さ方向に重ねられた状態で接合される上記（１）に記載の笠木。
【０００８】
（３）  前記第１垂直部と前記第２垂直部とのうち、前記第１垂直部が外側に位置し、前記第２垂直部が内側に位置する上記（２）に記載の笠木。
【０００９】
（４）  前記第２部材は、前記第３垂直部の下部から鉛直斜め上方に向かって突出した突出部を有する上記（１）ないし（３）のいずれかに記載の笠木。
【００１０】
（５）  前記躯体は、出隅を備えており、
当該笠木は、前記出隅に設置して用いられる上記（１）ないし（４）のいずれかに記載の笠木。
【００１１】
（６）  前記躯体は、入隅を備えており、
当該笠木は、前記入隅に設置して用いられる上記（１）ないし（４）のいずれかに記載の笠木。
【００１２】
（７）  前記躯体は、出隅と、入隅と、前記出隅と前記入隅との間の直線状をなす直線部と、を備えており、
当該笠木は、前記直線部に設置して用いられる上記（１）ないし（４）のいずれかに記載の笠木。
【００１３】
（８）  前記第１部材および前記第２部材のうちの少なくとも一方は、その一部もしくは全面を覆う防水シートを有する上記（１）ないし（７）のいずれかに記載の笠木。
【００１４】
（９）  躯体の出隅または入隅に設置される笠木であって、
水平方向に沿って配置される１枚の連続した板部材で構成され、水平方向のうちの交差する２方向に延在する第１延在部および第２延在部を有する水平部Ａと、
前記第１延在部と平行に配置され、該第１延在部と同方向に延在する水平部Ｂと、
前記第１延在部と前記水平部Ｂとを連結し、鉛直方向に沿って配置される垂直部Ｃと、
前記水平部Ｂの前記垂直部Ｃと反対側から鉛直方に沿って配置される垂直部Ｄと、
前記第２延在部と平行に配置され、該第２延在部と同方向に延在する水平部Ｅと、
前記第２延在部と前記水平部Ｅとを連結し、鉛直方向に沿って配置される垂直部Ｆと、
前記水平部Ｅの前記垂直部Ｆと反対側から鉛直方向下方に沿って配置される垂直部Ｇと、を備えることを特徴とする笠木。
【００１５】
（１０）  前記水平部Ａ、前記水平部Ｂ、前記垂直部Ｃ、前記垂直部Ｄ、前記水平部Ｅ、前記垂直部Ｆ、前記垂直部Ｇのうちの少なくとも１つは、その一部もしくは全面を覆う防水シートを有する上記（９）に記載の笠木。
【発明の効果】
【００１６】
本発明によれば、簡単な構成で、審美性の高い笠木が得られる。
【図面の簡単な説明】
【００１７】
【図１】図１は、本発明の笠木の使用状態の一例を示す分解斜視図である。
【図２】図２は、図１に示す笠木同士を連結する連結部材の使用状態の一例を示す分解斜視図である。
【図３】図３は、図１に示す笠木のうちの入隅用の笠木を示す分解斜視図である。
【図４】図４は、図３中のＡ−Ａ線断面図である。
【図５】図５は、図３中のＢ−Ｂ線断面図である。
【図６】図６は、図１に示す笠木のうちの出隅用の笠木を示す分解斜視図である。
【図７】図７は、図１に示す笠木のうちの直線部用の笠木を示す分解斜視図である。
【発明を実施するための形態】
【００１８】
以下、本発明の笠木を添付図面に示す好適な実施形態に基づいて詳細に説明する。
図１は、本発明の笠木の使用状態の一例を示す分解斜視図である。図２は、図１に示す笠木同士を連結する連結部材の使用状態の一例を示す分解斜視図である。図３は、図１に示す笠木のうちの入隅用の笠木を示す分解斜視図である。図４は、図３中のＡ−Ａ線断面図である。図５は、図３中のＢ−Ｂ線断面図である。図６は、図１に示す笠木のうちの出隅用の笠木を示す分解斜視図である。図７は、図１に示す笠木のうちの直線部用の笠木を示す分解斜視図である。
【００１９】
なお、以下では、説明の都合上、図１〜図７中、互いに直交する３軸をｘ軸、ｙ軸およびｚ軸とする。また、ｘ軸とｙ軸を含むｘｙ平面が水平となっており、ｚ軸が鉛直となっている。また、ｘ軸に平行な方向を「ｘ軸方向」とも言い、ｙ軸に平行な方向を「ｙ軸方向」とも言い、ｚ軸に平行な方向を「ｚ軸方向」とも言う。また、各方向の矢印が向いた方向を「正」、その反対方向を「負」と言う。また、ｚ軸方向正側を「上」または「上方」、ｚ軸方向負側を「下」または「下方」と言うことがある。また、図１〜図３、図６および図７中の笠木に向かって左側を「左」、右側を「右」と言うことがある。
【００２０】
図１に示すように、笠木１Ａ、笠木１Ｂおよび笠木１Ｃは、それぞれ、躯体１００に設置され、装飾性を有する部材である。なお、笠木１Ａ、笠木１Ｂおよび笠木１Ｃは、それぞれ、躯体１００に対して、ビス止めにより固定され、その補助として、両面テープ２００が用いられる。また、躯体１００に設置された笠木１Ａ、笠木１Ｂおよび笠木１Ｃ上には、防水シート（図示せず）が敷設されているのが好ましい。
【００２１】
本実施形態では、躯体１００は、入隅１０１と、出隅１０２と、入隅１０１と出隅１０２との間の直線状をなす直線部１０３と、を備えている。
【００２２】
笠木１Ａは、入隅１０１に設置して用いられる。これにより、入隅１０１での審美性が向上する。笠木１Ｂは、出隅１０２に設置して用いられる。これにより、出隅１０２での審美性が向上する。笠木１Ｃは、直線部１０３に設置して用いられる。これにより、直線部１０３での審美性が向上する。その結果、躯体１００上での審美性が全体として向上することとなる。
【００２３】
また、図２に示すように、躯体１００に設置された笠木１Ａと笠木１Ｃとの境界部には、ジョイント部材９が設置される。なお、図示は省略するが、ジョイント部材９は、躯体１００に設置された笠木１Ｂと笠木１Ｃとの境界部にも設置される。
【００２４】
まず、笠木１Ａについて説明する。
図３に示すように、笠木１Ａは、連続した１枚の板部材を折り曲げてなる第１部材２Ａと、連続した１枚の板部材を折り曲げてなる第２部材３Ａと、を備え、これらの部材同士を接合した接合体である。
【００２５】
なお、第１部材２Ａを構成する板部材と、第２部材３Ａを構成する板部材とは、同じ厚さの板部材であるのが好ましいが、異なる厚さの板部材であってもよい。また、この板部材としては、例えば、ＺＡＭ鋼板、ステンレス鋼等の金属材料で構成された金属層を有する積層体であるのが好ましい。
【００２６】
また、第１部材２Ａの表側の色と、第２部材３Ａの表側の色とは、同じであるのが好ましいが、異なっていてもよい。
【００２７】
また、第１部材２Ａおよび第２部材３Ａのうちの少なくとも一方は、その表側に、一部もしくは全面を覆う防水シートを有するのが好ましい。これにより、雨水が内側に侵入するのを防止することができる。
【００２８】
第１部材２Ａは、第１水平部２１と、第１右側垂直部（第１垂直部）２２と、第１左側垂直部２３と、第１左側水平部２４と、第２左側垂直部２５と、突出部２６と、を有している。
【００２９】
第１水平部２１は、入隅１０１上で水平方向に沿って配置される。第１水平部２１は、平面視で「Ｌ」字状をなし、水平方向のうちの交差する２方向に延在する２つの延在部、すなわち、本実施形態ではｘ軸方向に延在する第１延在部２１１と、ｙ軸方向に延在する第２延在部２１２と、を有している。
【００３０】
第１延在部２１１には、第１部材２Ａを躯体１００に固定するビス（図示せず）が挿通する２つの挿通孔２１３が貫通して形成されている。これらの挿通孔２１３は、第１延在部２１１の外縁部２１５側に、ｘ軸方向に離間して配置されている。
【００３１】
第２延在部２１２にも、第１部材２Ａを躯体１００に固定するビス（図示せず）が挿通する２つの挿通孔２１４が貫通して形成されている。これらの挿通孔２１４は、第２延在部２１２の外縁部２１６側に、ｙ軸方向に離間して配置されている。
【００３２】
なお、第１延在部２１１のｘ軸方向に沿った長さ（全長）と、第２延在部２１２のｙ軸方向に沿った長さ（全長）とは、同じであるのが好ましいが、異なっていてもよい。また、第１延在部２１１のｙ軸方向に沿った長さ（幅）と、第２延在部２１２のｘ軸方向に沿った長さ（幅）とは、同じであるのが好ましいが、異なっていてもよい。
【００３３】
第１延在部２１１には、その内縁部２１７から鉛直方向下方に沿って第１右側垂直部２２が配置されている。第１右側垂直部２２は、ｘ軸方向に沿った帯状をなす。なお、第１右側垂直部２２のｚ軸方向に沿った長さ（幅）は、第１延在部２１１の幅よりも小さい。
【００３４】
また、第１右側垂直部２２には、第１部材２Ａと第２部材３Ａとを接合するリベット３００が挿通する２つの挿通孔２２１が貫通して形成されている。これらの挿通孔２２１は、ｘ軸方向に離間して配置されている。
【００３５】
第２延在部２１２には、その内縁部２１８から鉛直方向下方に沿って第１左側垂直部２３が配置されている。第１左側垂直部２３は、ｙ軸方向に沿った帯状をなす。なお、第１左側垂直部２３のｚ軸方向に沿った長さ（幅）は、第１右側垂直部２２の幅と同じであるのが好ましい。また、第１左側垂直部２３のｙ軸方向に沿った長さ（全長）は、第１右側垂直部２２のｘ軸方向に沿った長さ（全長）よりも長い。
【００３６】
第１左側垂直部２３の下部には、そのｘ軸方向負側に第１左側水平部２４が配置されている。第１左側水平部２４は、ｙ軸方向に沿った帯状をなす。なお、第１左側水平部２４のｘ軸方向に沿った長さ（幅）は、第２延在部２１２の幅よりも小さい。
【００３７】
第１左側水平部２４からは、鉛直方向下方に沿って第２左側垂直部２５が配置されている。第２左側垂直部２５は、ｙ軸方向に沿った帯状をなす。なお、第２左側垂直部２５のｚ軸方向に沿った長さ（幅）は、第１左側垂直部２３の幅よりも大きい。
【００３８】
第２左側垂直部２５の下部からは、突出部２６が鉛直斜め上方に向かって突出している。突出部２６は、ｙ軸方向に沿った帯状をなす。また、突出部２６は、躯体１００側に突出しており、その突出長さは、特に限定されない。このような突出部２６は、「水返し」と呼ばれる部分であり、上部から伝い落ちてくる雨水が内側に侵入するのを防止することができる。
【００３９】
第２部材３Ａは、第２水平部３１と、第２垂直部３２と、第３垂直部３３と、突出部３４と、左側垂直部３５と、を有している。
【００４０】
第２水平部３１は、水平方向に沿って配置される。第２水平部３１は、ｘ軸方向に沿った帯状をなす。なお、第２水平部３１のｙ軸方向に沿った長さ（幅）は、第１部材２Ａの第１延在部２１１の幅よりも小さい。
【００４１】
第２水平部３１には、その外縁部３１１から鉛直方向上方に沿って、第２垂直部３２が配置されている。第２垂直部３２も、第２水平部３１と同様に、ｘ軸方向に沿った帯状をなし、その長さ（全長）は、第１部材２Ａの第１右側垂直部２２の全長と同じであり、幅も第１右側垂直部２２の幅と同じであるのが好ましい。
【００４２】
この第２垂直部３２には、リベット３００が挿通する２つの挿通孔３２１が貫通して形成されている。これらの挿通孔３２１は、ｘ軸方向に離間して配置されており、その離間距離は、第１部材２Ａの第１右側垂直部２２に形成された２つの挿通孔２２１の離間距離と同じである。
【００４３】
また、第２水平部３１には、第２垂直部３２と反対側、すなわち、内縁部３１２から鉛直方向下方に沿って第３垂直部３３が配置されている。第３垂直部３３は、ｘ軸方向に沿った帯状をなす。なお、第３垂直部３３のｚ軸方向に沿った長さ（幅）は、第１部材２Ａの第２左側垂直部２５の幅と同じであるのが好ましい。
【００４４】
第３垂直部３３の下部からは、突出部３４が鉛直斜め上方に向かって突出している。突出部３４は、ｘ軸方向に沿った帯状をなす。また、突出部３４は、躯体１００側に突出しており、その突出長さは、第１部材２Ａの突出部２６と同じであるのが好ましい。このような突出部３４は、突出部２６と同様に、「水返し」と呼ばれる部分であり、上部から伝い落ちてくる雨水が内側に侵入するのを防止することができる。
【００４５】
第３垂直部３３の左端部には、ｙ軸方向負側に向かって突出した左側垂直部３５が、鉛直方向に沿って配置されている。左側垂直部３５は、第３垂直部３３よりも小さい板片である。
【００４６】
以上のような構成の第１部材２Ａと第２部材３Ａとは、図３に示すように、第１部材２Ａの第１右側垂直部２２と、第２部材３Ａの第２垂直部３２とを接合して組み立てられる。その際、図４に示すように、第１右側垂直部２２と第２垂直部３２とは、互いに厚さ方向に重ねられた状態で、リベット３００を介して接合される。これにより、組立状態の笠木１Ａが得られる。
【００４７】
また、組立状態の笠木１Ａでは、第１部材２Ａの第２左側垂直部２５の裏側（内側）から第２部材３Ａの左側垂直部３５が重なり、接合される。この接合方法としては、特に限定されず、例えば、接着（接着剤や溶媒による接着）による方法、融着（熱融着、高周波融着、超音波融着等）による方法等が挙げられる。
【００４８】
また、組立状態の笠木１Ａでは、第１部材２Ａと第２部材３Ａとの境界部に、裏側から不定形シール材で構成された防水材等が塗布されるのが好ましい。
【００４９】
そして、図４、図５に示すように、この組立状態の笠木１Ａは、水平部Ａと、水平部Ｂと、垂直部Ｃと、垂直部Ｄと、水平部Ｅと、垂直部Ｆと、垂直部Ｇと、を備えたものであるということもできる。
【００５０】
水平部Ａは、水平方向に沿って配置される１枚の連続した板部材で構成され、第１延在部２１１および第２延在部２１２を有する部分であり、第１水平部２１に相当する。
【００５１】
水平部Ｂは、第１延在部２１１と平行に配置され、第１延在部２１１と同方向に延在する部分であり、第２水平部３１に相当する。
【００５２】
垂直部Ｃは、第１延在部２１１と水平部Ｂとを連結し、鉛直方向に沿って配置される部分であり、第１右側垂直部２２に相当する。
【００５３】
垂直部Ｄは、水平部Ｂの垂直部Ｃと反対側から鉛直方に沿って配置される部分であり、第３垂直部３３に相当する。
【００５４】
水平部Ｅは、第２延在部２１２と平行に配置され、第２延在部２１２と同方向に延在する部分であり、第１左側水平部２４に相当する。
【００５５】
垂直部Ｆは、第２延在部２１２と水平部Ｅとを連結し、鉛直方向に沿って配置される部分であり、第１左側垂直部２３に相当する。
【００５６】
垂直部Ｇは、水平部Ｅの垂直部Ｆと反対側から鉛直方向下方に沿って配置される部分であり、第２左側垂直部２５に相当する。
【００５７】
組立状態の笠木１Ａの右側では、水平部Ａ、水平部Ｂおよび垂直部Ｃによる出張り部４（図４参照）が形成され、左側では、水平部Ａ、水平部Ｅおよび垂直部Ｆよる出張り部５（図５参照）が形成される。
【００５８】
そして、この組立状態の笠木１Ａを躯体１００の入隅１０１に設置、固定することができる。この場合、出張り部４および出張り部５により、日光の加減によっては、躯体１００に陰影ができて、高級感がでる。
【００５９】
以上のように、入隅１０１に設置される笠木１Ａを得ようとした場合、１枚の板部材をどのように加工しても、笠木１Ａを得ることはできない。従って、笠木１Ａを２つの板部材、すなわち、第１部材２Ａと第２部材３Ａとで構成することは、入隅１０１に設置される笠木１Ａを迅速かつ簡単に得る上で有効な構成となっている。
【００６０】
また、笠木１Ａが出張り部４および出張り部５を備えることにより、笠木１Ａの見栄えがよくなり審美性が高くなるとともに、前記のように躯体１００に高級感がでる。
【００６１】
また、水平部Ａと、水平部Ｂと、垂直部Ｃと、垂直部Ｄと、水平部Ｅと、垂直部Ｆと、垂直部Ｇのうちの少なくとも１つは、その表側に、一部もしくは全面を覆う防水シートを有するのが好ましい。これにより、雨水が内側に侵入するのを防止することができる。
【００６２】
また、図４に示すように、組立状態の笠木１Ａでは、第１右側垂直部２２と第２垂直部３２とのうち、第１右側垂直部２２が外側に位置し、第２垂直部３２が内側に位置する。
【００６３】
これに対し、第１右側垂直部２２と第２垂直部３２との位置関係が逆転している、すなわち、第２垂直部３２が外側に位置し、第１右側垂直部２２が内側に位置する場合、上から降ってくる雨水が、第１右側垂直部２２と第２垂直部３２との間から笠木１Ａの内側に浸入するおそれがある。
【００６４】
しかしながら、第１右側垂直部２２が外側に位置し、第２垂直部３２が内側に位置するとことにより、第１右側垂直部２２と第２垂直部３２との間を第１水平部２１が上側から覆うことができる。これにより、雨水が笠木１Ａの内側に浸入するのを防止することができる。
【００６５】
また、笠木１Ａは、例えばｚ軸方向の長さが異なる第２部材３Ａが複数用意されていてもよい。この場合、入隅１０１の状態に応じて、複数の第２部材３Ａの中から適当な第２部材３Ａを１つ選択して用いることができる。
【００６６】
また、笠木１Ａは、平面視で直角に屈曲したような形状をなしているが、これに限定されず、平面視で一部または全体が湾曲していてもよい。
【００６７】
次に、笠木１Ｂについて図６を参照して説明するが、前述した笠木１Ａとの相違点を中心に説明し、同様の事項はその説明を省略する。
【００６８】
図６に示すように、笠木１Ｂは、第１部材２Ｂと、第２部材３Ｂと、を備え、これらの部材同士を接合した接合体である。笠木１Ｂは、出隅１０２用のものである。従って、第１部材２Ｂは、第１延在部２１１の外縁部２１５に第１右側垂直部２２が配置されている。そして、この第１右側垂直部２２に、第２部材３Ｂの第２垂直部３２が重なって接合される。なお、第２部材３Ｂは、左側垂直部３５が内側に折れ曲って形成されている、すなわち、ｘ軸方向負側に突出して形成されている。
【００６９】
また、笠木１Ｂも、笠木１Ａと同様に、水平部Ａと、水平部Ｂと、垂直部Ｃと、垂直部Ｄと、水平部Ｅと、垂直部Ｆと、垂直部Ｇと、を備えたものとなる。さらに、笠木１Ｂは、出張り部４および出張り部５が形成されたものとなる。
【００７０】
次に、笠木１Ｃについて図７を参照して説明するが、前述した笠木１Ａとの相違点を中心に説明し、同様の事項はその説明を省略する。
【００７１】
図７に示すように、笠木１Ｃは、第１部材２Ｃと、第２部材３Ｃと、を備え、これらの部材同士を接合した接合体である。笠木１Ｃは、直線部１０３用のものである。従って、第１部材２Ｃは、第１水平部２１から第２延在部２１２が省略され、当該第２延在部２１２から一体的に形成された部分（例えば第１左側垂直部２３等）も省略されている。また、第２部材３Ｃは、左側垂直部３５が省略されている。笠木１Ｃも、出張り部４が形成されたものとなる。
【００７２】
次に、ジョイント部材９について図２を参照して説明する。
図２に示すように、ジョイント部材９は、連続した１枚の板部材を折り曲げてなり、水平部９１と、垂直部９２と、水平部９３と、垂直部９４と、を備えている。ジョイント部材９は、笠木１Ａと笠木１Ｃとの境界部や、笠木１Ｂと笠木１Ｃとの境界部を上側から覆うように設置される。これにより、各境界部から雨水等が浸入するのが防水される。
【００７３】
水平部９１は、水平方向に沿って配置される。水平部９１には、ジョイント部材９を躯体１００に固定するビス（図示せず）が挿通する２つの挿通孔９１１が貫通して形成されている。これらの挿通孔９１１は、ｙ軸方向に離間して配置されている。
垂直部９２は、水平部９１に対し、鉛直方向下方に沿って配置されている。
【００７４】
水平部９３は、垂直部９２に対し、ｘ軸方向負側に突出しており、水平方向に沿って配置される。
垂直部９４は、水平部９３に対し、鉛直方向下方に沿って配置されている。
【００７５】
このような構成のジョイント部材９は、水平部９１、垂直部９２および水平部９３により、出張り部４や出張り部５と同様の形状をなす出張り部６が形成される。これにより、笠木１Ａ、笠木１Ｂおよび笠木１Ｃと形状が揃い、見栄えがよくなる。
【００７６】
なお、ジョイント部材９の裏側には、樹脂シートが介挿されているのが好ましい。これにより、防水効果が向上する。
【００７７】
以上、本発明の笠木を図示の実施形態について説明したが、本発明は、これに限定されるものではなく、笠木を構成する各部は、同様の機能を発揮し得る任意の構成のものと置換することができる。また、任意の構成物が付加されていてもよい。
【００７８】
また、各笠木は、２つの部材を接合した接合体であるが、これに限定されず、３つ以上の部材を接合した接合体であってもよい。
【符号の説明】
【００７９】
１Ａ          笠木
１Ｂ          笠木
１Ｃ          笠木
２Ａ          第１部材
２Ｂ          第１部材
２Ｃ          第１部材
２１          第１水平部
２１１        第１延在部
２１２        第２延在部
２１３        挿通孔
２１４        挿通孔
２１５        外縁部
２１６        外縁部
２１７        内縁部
２１８        内縁部
２２          第１右側垂直部（第１垂直部）
２２１        挿通孔
２３          第１左側垂直部
２４          第１左側水平部
２５          第２左側垂直部
２６          突出部
３Ａ          第２部材
３Ｂ          第２部材
３Ｃ          第２部材
３１          第２水平部
３１１        外縁部
３１２        内縁部
３２          第２垂直部
３２１        挿通孔
３３          第３垂直部
３４          突出部
３５          左側垂直部
４            出張り部
５            出張り部
６            出張り部
９            ジョイント部材
９１          水平部
９１１        挿通孔
９２          垂直部
９３          水平部
９４          垂直部
１００        躯体
１０１        入隅
１０２        出隅
１０３        直線部
２００        両面テープ
３００        リベット
Ａ            水平部
Ｂ            水平部
Ｃ            垂直部
Ｄ            垂直部
Ｅ            水平部
Ｆ            垂直部
Ｇ            垂直部
【図１】
2020084510.tif 000003
【図２】
2020084510.tif 000004
【図３】
2020084510.tif 000005
【図４】
2020084510.tif 000006
【図５】
2020084510.tif 000007
【図６】
2020084510.tif 000008
【図７】
2020084510.tif 000009